(57)【要約】【課題】構造も簡単であり、安価で安定的なコロナ放電ワイヤに付着したトナーを清掃することができる転写装置及びそれを備えた画像形成装置を提供する。【解決手段】除電器１４のコロトロンワイヤ２０に付着したトナーを清掃する部材にブラシ２４を用いることによりコロトロンワイヤ２０に負荷を掛けることなく安定した印刷品質を保つと共にコロトロンワイヤ２０の長寿命化を図ることを特徴とする。【選択図】  図２
2008102414.tif 000002
【特許請求の範囲】
【請求項１】
転写ベルトと用紙の分離部を除電するコロナ放電ワイヤを有する除電器を備えた転写装置において、前記コロナ放電ワイヤを清掃する部材として絶縁材のブラシを使用することを特徴とする転写装置。
【請求項２】
請求項１記載の転写装置において、前記ブラシの材質がアクリル繊維であることを特徴とする転写装置。
【請求項３】
請求項１又は２記載の転写装置において、前記ブラシの植毛密度が２００〜４００束／ｉｎｃｈ２であるであることを特徴とする転写装置。
【請求項４】
請求項１乃至３のいずれか１項記載の転写装置において、コロナ放電ワイヤが前記ブラシの毛長内に位置することを特徴とする転写装置。
【請求項５】
感光体と、その感光体の表面を帯電する帯電器と、その帯電した感光体の表面に潜像を形成する光学系と、その潜像を形成した感光体の表面にトナーを付着してトナー像を形成する現像機と、転写ベルトと転写器と前記転写ベルトと用紙の分離部を除電するコロナ放電ワイヤを有する除電器を備えた転写装置と、その転写装置により用紙上に転写したトナーを定着する定着装置とを備えた画像形成装置において、前記転写装置が請求項１ないし４のいずれか1項に記載の転写装置であることを特徴とする画像形成装置。
【発明の詳細な説明】
【技術分野】
【０００１】
本発明は、電子写真法を用いる複写機、レーザビームプリンタ等の画像形成装置において感光体上のトナー像を用紙に転写する転写装置に関するものである。
【背景技術】
【０００２】
転写装置には放電ワイヤが使用されるが、その放電ワイヤの清掃手段としては、放電ワイヤに押し当てられる植毛間隔Ｄ＝４０μｍ、植毛繊維の高さＴ＝１５０μｍのビロードからなる清掃部材を有するものを２個使用して、しごき量を１ｍｍに設定して清掃するもの、または研磨砥石粒（炭化珪素）を樹脂板上に接着した清掃部材（表面粗さＲｚが５μｍ）を有するものを２個使用して、しごき量を０．８ｍｍに設定して清掃するものなどの技術が提案されている（例えば、特許文献１参照）。
【０００３】
また、紙状に加工された例えばアラミッド繊維等の薄板状の高分子系高張力繊維を用いた清掃部材と清掃部材がコロナワイヤを左右方向より挟み込む様に保持部材に取り付けてある構成とするなどの技術が提案されている（例えば、特許文献２参照）。
【０００４】
【特許文献１】特開２００３−２９５５８１号公報
【特許文献２】特開２００３−２４１４８８号公報
【発明の開示】
【発明が解決しようとする課題】
【０００５】
除電器に高圧を印加することにより、除電器の周辺環境に飛散しているトナーを引き寄せる働きが生じ、除電器周辺環境に飛散しているトナーがコロナ放電ワイヤに付着して除電機能を低下させるため、一般に除電器にはコロナ放電ワイヤを清掃する部材が設けられている。コロナ放電ワイヤを清掃する部材としてはビロードやフェルトなどを使用し、コロナ放電ワイヤに押し付けてコロナ放電ワイヤに付着したトナーを清掃する構造とすることにより安定した印刷品質を保つことができる。また、アラミッド繊維等の薄板状の高分子系高張力繊維を用いた清掃部材でコロナ放電ワイヤを左右方向より挟み込む構造とすることにより安定した印刷品質を保つことができる。
【０００６】
しかし、ビロードやフェルトなどを使用した場合は、コロナ放電ワイヤを清掃する部材を押し付けるための機構を設ける必要があるため、構造が複雑になるとともにコロナ放電ワイヤへの負荷が大きくなり、コロナ放電ワイヤの寿命を短くする可能性があり、薄板状の高分子系高張力繊維を用いた場合も同様にコロナ放電ワイヤへの負荷が大きくなり、コロナ放電ワイヤの寿命を短くする可能性がある。
【０００７】
前記特許文献１のように清掃部材を有するものを２個使用して、コロナ放電ワイヤをしごく構造とすることが行われるが、構造が複雑となり高価な装置となることや、コロナ放電ワイヤへの負荷が大きくなり、コロナ放電ワイヤの寿命を短くする可能性がある。
【０００８】
また、前記特許文献２のように紙状に加工されたたとえばアラミッド繊維等の薄板状の高分子系高張力繊維を用いた清掃部材２と清掃部材３がコロナワイヤ６を左右方向より挟み込む構造とすることが行われるが、前記同様にコロナ放電ワイヤへの負荷が大きくなり、コロナ放電ワイヤの寿命を短くする可能性がある。
【０００９】
本発明の目的は、このような従来技術の欠点を解消し、構造も簡単であり、安価で安定的なコロナ放電ワイヤに付着したトナーを清掃することができる転写装置及びそれを備えた画像形成装置を提供することにある。
【課題を解決するための手段】
【００１０】
前記目的を達成するために、本発明の第１の手段は、転写ベルトと用紙の分離部を除電するコロナ放電ワイヤを有する除電器を備えた転写装置において、前記コロナ放電ワイヤを清掃する部材として絶縁材のブラシを使用することを特徴とするものである。
【００１１】
本発明の第２の手段は前記第１の手段において、前記ブラシの材質がアクリル繊維であることを特徴とするものである。
【００１２】
本発明の第３の手段は前記第１または第２の手段において、前記ブラシの植毛密度が２００〜４００束／ｉｎｃｈ２であるであることを特徴とするものである。
【００１３】
本発明の第４の手段は前記第１乃至第３の手段のいずれかにおいて、コロナ放電ワイヤが前記ブラシの毛長内に位置することを特徴とするものである。
【００１４】
本発明の第５の手段は、感光体と、その感光体の表面を帯電する帯電器と、その帯電した感光体の表面に潜像を形成する光学系と、その潜像を形成した感光体の表面にトナーを付着してトナー像を形成する現像機と、転写ベルトと転写器と前記転写ベルトと用紙の分離部を除電するコロナ放電ワイヤを有する除電器を備えた転写装置と、その転写装置により用紙上に転写したトナーを定着する定着装置とを備えた画像形成装置において、前記転写装置が請求項１ないし４のいずれか1項に記載の転写装置であることを特徴とするものである。
【発明の効果】
【００１５】
以上のように本発明によれば、装置の構成を複雑にすることなく、容易に除電器のコロトロンワイヤに付着したトナーをコロトロンワイヤに負荷を掛けずに除去するができ、安定した印刷品質を保つと共にコロトロンワイヤの長寿命化を図ることができる。
【発明を実施するための最良の形態】
【００１６】
本発明を電子写真法を用いるレーザビームプリンタに適用した実施例を図を用いて以下説明する。
【００１７】
図１は、複写機、プリンタ等で用いられている有機光導電体（ＯＰＣ）の場合を示している。感光体１は、帯電器２のコロナ放電によって表面を−極性に帯電する。プリンタで多用されている反転現像方式では、半導体レーザ等の光学系３によって、潜像が形成され、現像機４によって感光体１表面の電位と同極性である−極性トナー５を感光体１上に付着させる。用紙走行部材によって搬送された用紙６は、ガイド板７を経て、転写ベルト８に至る。転写ベルト８は、両端を駆動ローラ９と従動ローラ１０によって支持され、駆動ローラ９が回転することによって矢印方向に回転する。転写ベルト内部に設けられた転写器１１のワイヤ１２には、高圧電源１３から高電圧が印加されるので、コロナ放電によって、転写ベルト８表面には、トナーと逆極性の電荷が発生する。搬送された用紙６は、この電荷によってトナー画像を転写すると同時に用紙６を転写ベルト8に吸着し搬送する。転写ベルト８によって搬送された用紙６は、駆動ローラ９に至った後、除電器１４によって除電された後、定着機１５で定着され、一方、転写後の残留した感光体1上のトナーは、プレチャージ１６、イレーズランプ１７を経てクリーナ１８で清掃される。
【００１８】
前述したように、転写ベルト方式は、用紙６が転写ベルト８から剥離するときに剥離放電が発生し、用紙上に転写したトナー５が飛び散り印刷品質を低下させるため、一般に用紙６が転写ベルト８から剥離する領域に除電器１４を設けることによりトナー５の飛び散りを防止している。しかし、除電器１４に高圧を印加することにより、除電器１４周辺環境に飛散しているトナーを引き寄せる働きが生じ、除電器１４のコロトロンワイヤ２０に除電器１４周辺環境に飛散しているトナー５を付着させ、その付着したトナー５が除電器１４の除電機能低下を招くことになるが、除電器１４のコロトロンワイヤ２０を清掃することにより、除電器１４の除電機能を回復させることができる。
【００１９】
しかし、清掃する部材として前述のようにビロードやフェルトなど押付ける構造やアラミッド繊維等の薄板状の高分子系高張力繊維を用いた清掃部材でコロナ放電ワイヤを左右方向より挟み込む構造とした場合、構造が複雑となり高価な装置となることや、コロナ放電ワイヤへの負荷が大きくなり、コロナ放電ワイヤの寿命を短くする可能性がある。
【００２０】
図２に本発明の除電器１４の構造を示す。主な構成として除電器１４は高圧を印加するためのコロトロンワイヤ２０、金属製のシールド板２１、樹脂製のケース２２、クリーナクミ２３、ブラシ２４及びクリーニングバ２５などから構成されている。
【００２１】
クリーナクミ２３のホルダはクリーニングバ２５に固定されており、クリーニングバ２５を往復移動させることにより、クリーナクミ２３は金属製のシールド板２１と樹脂製のケース２２をガイドとして往復移動し、クリーナクミ２３の固定された絶縁材のブラシ２４がコロトロンワイヤ２０に付着したトナー５をコロトロンワイヤ２０に負荷を掛けずに除去することができる。
【００２２】
また、ブラシ２４として、一般に感光体の清掃や帯電などに用いられるアクリル繊維とすることにより安定的な清掃を行うことができる。また、ブラシ２４の植毛密度を２００〜４００束／ｉｎｃｈ２とすることによりブラシ２４がコロトロンワイヤ２０に満遍なく接触し安定的な清掃を行うことができる。また、コロトロンワイヤ２０がブラシ２４の毛長（３ｍｍ〜６ｍｍ）内に位置する構造とすることにより、コロトロンワイヤ２０と清掃部材の位置精度を高くする必要がなく、安価な部品で安定的な清掃を行うことができる。
【図面の簡単な説明】
【００２３】
【図１】本発明の実施形態に係る画像形成装置の概略構成図である。
【図２】その画像形成装置に用いる除電器の概略構成図である。
【符号の説明】
【００２４】
１…感光体、２…帯電器、３…光学系、４…現像機、５…トナー、６…用紙、７…ガイド板、８…転写ベルト、９…駆動ローラ、１０…従動ローラ、１１…転写器、１２…ワイヤ、１３…高圧電源、１４…除電器、１５…定着機、１６…プレチャージ、１７…イレーズランプ、１８…クリーナ、２０…コロトロンワイヤ、２１…シールド板、２２…ケース、２３…クリーナクミ、２４…ブラシ、２５…クリーニングバ。
【図１】
2008102414.tif 000003
【図２】
2008102414.tif 000004